(57)【要約】  【課題】  変形防止の竹刀及びその製法を提供する。  【解決手段】  外皮部１１、内側部１３及び接触側部１２を有する四つのピース１０からなる本体を有する竹刀であって、内側部１３に防水剤２０が設けられることを特徴とする竹刀とする。【選択図】  図２
2006109909.tif 000002
【特許請求の範囲】
【請求項１】
外皮部、内側部及び接触側部を有する四つのピースからなる本体を有する竹刀であって、上記内側部に防水剤が設けられることを特徴とする変形防止の竹刀。
【請求項２】
前記接触側部に防水剤が設けられることを特徴とする請求項１に記載の変形防止の竹刀。
【請求項３】
前記防水剤は漆であることを特徴とする請求項１又は２に記載の変形防止の竹刀。
【請求項４】
前記防水剤は油であることを特徴とする請求項１又は２に記載の変形防止の竹刀。
【請求項５】
前記防水剤は蝋であることを特徴とする請求項１又は２に記載の変形防止の竹刀。
【請求項６】
外皮部、内側部及び接触側部を有する四つのピースからなる本体を有する竹刀の製法であって、
該竹刀を組み立てる際、防水剤を均一に上記内側部に塗布することを特徴とする変形防止の竹刀の製法。
【請求項７】
前記防水剤を均一に前記接触側部に塗布することを特徴とする請求項６に記載の変形防止の竹刀の製法。
【請求項８】
前記防水剤は漆であることを特徴とする請求項６又は７に記載の変形防止の竹刀の製法。
【請求項９】
前記防水剤は油であることを特徴とする請求項６又は７に記載の変形防止の竹刀の製法。
【請求項１０】
前記防水剤は蝋であることを特徴とする請求項６又は７に記載の変形防止の竹刀の製法。
【発明の詳細な説明】
【技術分野】
【０００１】
本発明は、特に剣道の稽古などに用いる竹製の刀及びその製法であり、特に変形防止の竹刀及びその製法に関するものである。
【背景技術】
【０００２】
剣道の稽古には、刀や剣が必要である。現在では、人体を傷つけないように、練習と試合中には、一般に弾性を有する軟式の竹刀が用いられる。
【０００３】
図４に示すように、従来の竹刀は、４枚のピース（４０）（４つ割の竹）、先革、先芯、弦、中結、柄、鍔、鍔止め及び契りによって完全に仕組まれた状態のものである。
【０００４】
又、図５に示すように、竹刀の本体は４枚のピース（４０）からなり、各ピース（４０）の柄部を鉄片又は接着剤（膠）で固定することにより、シリンダー状の柄を形成し、又、ピース（４０）の剣先部に接着剤を使用せず、革材料である先革によって該剣先部を緊縛する。なお、前記の竹刀はよく使用されるものであるので、ここでは、特に特許文献又は非特許文献を記載しない。
【発明の開示】
【発明が解決しようとする課題】
【０００５】
しかしながら、竹刀の本体に用いられるピース（４０）は、乾燥ステップによって乾燥されるが、まだ１０％〜１４％の水分を含んでいる。一般のピース（４０）の外皮部（４１）は水分の揮発しにくい構造を有し、内側部（４２）は毛細孔を有する構造である。このため、水分を吸収又は揮発することでピース（４０）を膨張又は収縮させ、これによってピース（４０）が変形する恐れがある。
【０００６】
そこで、かかる課題に鑑みて、本発明は、変形防止の竹刀及びその製法を提供することを目的とする。
【課題を解決するための手段】
【０００７】
本願の請求項１の発明は、外皮部、内側部及び接触側部を有する四つのピースからなる本体を有する竹刀であって、内側部に防水剤が設けられることを特徴とする変形防止の竹刀としている。また、本願の請求項２の発明は、接触側部に防水剤が設けられることを特徴とする請求項１に記載の変形防止の竹刀としている。また、本願の請求項３の発明は、防水剤は漆であることを特徴とする請求項１又は２に記載の変形防止の竹刀としている。また、本願の請求項４の発明は、防水剤は油であることを特徴とする請求項１又は２に記載の変形防止の竹刀としている。また、本願の請求項５の発明は、防水剤は蝋であることを特徴とする請求項１又は２に記載の変形防止の竹刀としている。また、本願の請求項６の発明は、外皮部、内側部及び接触側部を有する四つのピースからなる本体を有する竹刀の製法であって、該竹刀を組み立てる際、防水剤を均一にピースの内側部に塗布することを特徴とする変形防止の竹刀の製法としている。また、本願の請求項７の発明は、防水剤を均一にピースの接触側部に塗布することを特徴とする請求項６に記載の変形防止の竹刀の製法としている。また、本願の請求項８の発明は、防水剤は漆であることを特徴とする請求項６又は７に記載の変形防止の竹刀の製法としている。また、本願の請求項９の発明は、防水剤は油であることを特徴とする請求項６又は７に記載の変形防止の竹刀の製法としている。また、本願の請求項１０の発明は、防水剤は蝋であることを特徴とする請求項６又は７に記載の変形防止の竹刀の製法としている。
【発明の効果】
【０００８】
本発明は上記の課題を解決するものであり、ピースの内側部又は接触側部に防水剤が設けられることにより、ピースの内部に既に含んだ水分を維持すると共に、空気中における水分が内側部又は接触側部に介してピース内部に浸入することができないので、竹刀のピースの変形を防止できる。
【発明を実施するための最良の形態】
【０００９】
以下、添付図面を参照して本発明の好適な実施の形態を詳細に説明する。
【００１０】
図１は本発明に係る変形防止の竹刀に鍔が付かない状態を示す平面図であり、図２は図１のＡ−Ａ線断面図であり、図３は本発明に係る変形防止の竹刀の他の実施例を示す拡大断面図である。
【００１１】
図１及び図２に示すように、本発明に係る変形防止の竹刀は外皮部（１１）、内側部（１３）及び接触側部（１２）を有する四つのピース（１０）からなる本体を有し、該内側部（１３）に防水剤（２０）が設けられることにより、ピース（１０）の内部に既に含まれている水分を維持すると共に、空気中における水分が内側部（１３）を介してピース（１０）内部に浸入することができない。前記防水剤（２０）は漆、油又は蝋など防水効果を有するものである。
【００１２】
又、本発明に係る変形防止の竹刀の製法は、竹刀を組み立てる際、防水剤（２０）を均一にピース（１０）の内側部（１３）に塗布することにより、ピースの内部の含水率を安定化させる。又、内側部（１３）に膜を有する場合、該膜を先に除去した後、防水剤の塗布を行う。
【００１３】
図３に示すように、本発明の他の実施例は、上記の実施例と殆ど等しく、異なるのは、前記ピース（１０）の接触側部（１２）にも防水剤が設けられることである。
【産業上の利用可能性】
【００１４】
本発明は、剣道用の竹刀を製造する製造業あるいは同竹刀を用いるスポーツ業に利用できる。
【図面の簡単な説明】
【００１５】
【図１】本発明に係る変形防止の竹刀に鍔が付かない状態を示す平面図である。
【図２】図１のＡ−Ａ線断面図である。
【図３】本発明に係る変形防止の竹刀の他の実施例を示す拡大断面図である。
【図４】従来の竹刀の平面図である。
【図５】図４のＢ−Ｂ線拡大断面図である。
【符号の説明】
【００１６】
１０    ピース
１１    外皮部
１２    接触側部
１３    内側部
２０    防水剤
４０    ピース
４１    接触側
４２    内側部
【図１】
2006109909.tif 000003
【図２】
2006109909.tif 000004
【図３】
2006109909.tif 000005
【図４】
2006109909.tif 000006
【図５】
2006109909.tif 000007